(57)【要約】【課題】追焚回路や暖房回路のような循環回路と給湯回路の双方を効率良く加熱することのできる二次熱交換器およびこれを用いた給湯器を提供する。【解決手段】二次熱交換器１４においてバーナー１２からの排気の流れで給湯回路の受熱管２２の上流側に、ふろの追焚回路や暖房回路のような他系統の循環回路の受熱管３２を配置する。【選択図】図２
2004028447.tif 000002
【特許請求の範囲】
【請求項１】
一次熱交換器を加熱するバーナーからの排気の流れで前記一次熱交換器の下流に配置された二次熱交換器であって、給湯回路の受熱管と１または２以上の他系統の循環回路の受熱管との双方が通るものにおいて、
前記排気の流れで給湯回路の受熱管の上流側に前記他系統の循環回路の受熱管を配置した
ことを特徴とする二次熱交換器。
【請求項２】
少なくとも前記他系統の循環回路の受熱管にフィンを取り付けた
ことを特徴とする請求項１に記載の二次熱交換器。
【請求項３】
前記給湯回路の受熱管と前記他系統の循環回路の受熱管の双方に共通のフィンを取り付けた
ことを特徴とする請求項１に記載の二次熱交換器。
【請求項４】
前記給湯回路の受熱管と前記他系統の循環回路の受熱管とを接触させて配置した
ことを特徴とする請求項１から３の何れかに記載の二次熱交換器。
【請求項５】
前記他系統の循環回路の受熱管を前記排気の流れで最も上流の一列に配置し、
前記他系統の循環回路の受熱管の下流に前記給湯回路の受熱管を排気の流れに沿って複数列に配置した
ことを特徴とする請求項１から４の何れかに記載の二次熱交換器。
【請求項６】
請求項１から５の何れかに記載の二次熱交換器を備えた給湯器。
【請求項７】
前記一次熱交換器が、前記他系統の循環回路と前記給湯回路の双方が経由するものである
ことを特徴とする請求項６に記載の給湯器。
【発明の詳細な説明】
【０００１】
【発明の属する技術分野】
本発明は、一次熱交換器を加熱するバーナーからの排気の流れで前記一次熱交換器の下流に配置された二次熱交換器であって、給湯回路の受熱管と１または２以上の他系統の循環回路の受熱管の双方が通るもの、および当該二次熱交換器を用いた給湯器に関する。
【０００２】
【従来の技術】
給湯器には、効率を高めたり、省エネルギー化を図ったりするために、バーナーからの排気の顕熱を主として回収する一次熱交換器の下流に、排気の潜熱を主として回収する二次熱交換器を設け、給水をまず、二次熱交換器に通して加熱した後、一次熱交換器で加熱するように構成したものがある。
【０００３】
また給湯機能のほかに、浴槽への注湯や浴槽水の追焚を行う機能や床暖房などの暖房機能を備えた多機能給湯器がある。かかる多機能給湯器の中には、装置の小型化や低価格化を図るため、ふろの追焚回路や暖房回路を構成する水管と給湯水管とを共通の熱交換器に通した一缶多水路型の熱交換器を採用したものがある。
【０００４】
【発明が解決しようとする課題】
給湯機能と暖房機能の双方を備えた多機能給湯器においても、二次熱交換器を設けることによって効率を高めて省エネルギー化を図ることが考えられる。かかる場合に、給水が受熱管を一度だけ経由して出湯する給湯回路と追焚回路や暖房回路のように回路内を加熱対象の水が何度も循環する循環回路とでは、その特性（水温）が相違するので、これらの違いを考慮に入れた効率の良い二次熱交換器を設けることが望まれる。
【０００５】
本発明は、このような観点からなされたもので、追焚回路や暖房回路のような循環回路と給湯回路の双方を効率良く加熱することのできる二次熱交換器およびこれを用いた給湯器を提供することを目的としている。
【０００６】
【課題を解決するための手段】
かかる目的を達成するための本発明の要旨とするところは、次の各項の発明に存する。
［１］一次熱交換器（１３）を加熱するバーナー（１２）からの排気の流れで前記一次熱交換器（１３）の下流に配置された二次熱交換器（１４）であって、給湯回路の受熱管（２２）と１または２以上の他系統の循環回路の受熱管（３２）との双方が通るものにおいて、
前記排気の流れで給湯回路の受熱管（２２）の上流側に前記他系統の循環回路の受熱管（３２）を配置した
ことを特徴とする二次熱交換器（１４）。
【０００７】
［２］少なくとも前記他系統の循環回路の受熱管（３２）にフィン（２１０）を取り付けた
ことを特徴とする［１］に記載の二次熱交換器（１４）。
【０００８】
［３］前記給湯回路の受熱管（２２）と前記他系統の循環回路の受熱管（３２）の双方に共通のフィン（２１０）を取り付けた
ことを特徴とする［１］に記載の二次熱交換器（１４）。
【０００９】
［４］前記給湯回路の受熱管（２２）と前記他系統の循環回路の受熱管（３２）とを接触させて配置した
ことを特徴とする［１］から［３］の何れかに記載の二次熱交換器（１４）。
【００１０】
［５］前記他系統の循環回路の受熱管（３２）を前記排気の流れで最も上流の一列に配置し、
前記他系統の循環回路の受熱管（３２）の下流に前記給湯回路の受熱管（２２）を排気の流れに沿って複数列に配置した
ことを特徴とする［１］から［４］の何れかに記載の二次熱交換器（１４）。
【００１１】
［６］［１］から［５］の何れかに記載の二次熱交換器（１４）を備えた給湯器（１０）。
【００１２】
［７］前記一次熱交換器（１３）が、前記他系統の循環回路と前記給湯回路の双方が経由するものである
ことを特徴とする［６］に記載の給湯器（１０）。
【００１３】
前記本発明は次のように作用する。
［１］に記載の二次熱交換器（１４）では、バーナー（１２）からの排気の流れで給湯回路の受熱管（２２）の上流側に、ふろの追焚回路や暖房回路のような他系統の循環回路の受熱管（３２）を配置してある。追焚回路や暖房回路などの循環回路では、浴槽や放熱パネルから戻ってくる流体の水温（たとえば暖房回路では５０℃程度）が、給湯回路における給水温度（たとえば、１５℃程度）よりも高い。燃焼ガス（排気）からの熱回収を多く行うためには、燃焼ガスと水管（受熱管）内の流体の温度差が大きいほうが良いので、暖房回路など戻り温度の高い循環回路を二次熱交換器（１４）の中で給湯回路より上流に配置することにより、循環回路側での吸熱を多くすることができる。すなわち、循環回路側は最も温度差のある状態で熱交換されることとなり、他の位置に循環回路の受熱管（３２）を配置した場合に比べて、高い効率を得ることができる。
【００１４】
一次熱交換器（１３）の下流に配置されている二次熱交換器（１４）に到来する排気の温度は既に低くなっているので、二次熱交換器（１４）では主として排気の潜熱を回収することになる。かかる状態で、水温の低い給湯回路を循環回路より上流に配置すると、燃焼ガスの有する熱の大部分が給湯回路側で回収されてしまい、残りの熱を給湯回路よりも水温の高い循環回路側で回収することはほとんどできなくなる。これに対し、循環回路を給湯回路の上流に配置すると、循環回路での熱回収が良好になるばかりでなく、循環回路の下流に配置された給湯回路でも、水温が低いので、さらに排気から熱を回収することができ、全体としての熱回収効率が向上し、省エネルギー化や環境負荷の低減に寄与することができる。
【００１５】
［２］に記載の二次熱交換器（１４）では、循環回路を給湯回路の上流に配置することに加えて、少なくとも循環回路の受熱管（３２）にフィン（２１０）を取り付けてある。これにより吸熱面積が広がり、より一層効率良く熱回収を行うことができる。
【００１６】
［３］に記載の二次熱交換器（１４）では、循環回路を給湯回路の上流に配置することに加えて、給湯回路の受熱管（２２）と循環回路の受熱管（３２）の双方に共通のフィン（２１０）を取り付けてある。これにより吸熱面積がさらに広がるので、受熱管の本数を減らすことができ、二次熱交換器（１４）の小型化および軽量化を図ることができる。また使用していない回路の受熱管が吸熱した熱が使用している回路の受熱管へフィン（２１０）を介して伝熱されるようになり、一方の回路の単独使用中にも効率よく熱回収を行うことができる。
【００１７】
［４］に記載の二次熱交換器（１４）では、循環回路を給湯回路の上流に配置することに加えて、給湯回路の受熱管（２２）と循環回路の受熱管（３２）とを接触させて配置してある。これにより、使用していない回路の受熱管が吸熱した熱が使用している回路の受熱管へ管壁を通じて伝熱されるようになり、一方の回路の単独使用中にも効率よく熱回収を行うことができる。またフィン（２１０）を取り付けるとともに給湯回路の受熱管（２２）と循環回路の受熱管（３２）とを接触させたものでは、使用していない回路の受熱管から使用している回路の受熱管への伝熱がさらに効率よく行われる。
【００１８】
［５］に記載の二次熱交換器（１４）では、他系統の循環回路の受熱管（３２）を前記排気の流れで最も上流の一列に配置し、他系統の循環回路の受熱管（３２）の下流に給湯回路の受熱管（２２）を排気の流れに沿って複数列に配置してある。これにより、循環回路の下流に配置されている給湯回路での熱回収効率が良くなり、全体としてより一層高い効率を得ることができる。
【００１９】
［６］に記載の発明は、［１］から［５］の何れかに記載の二次熱交換器（１４）を備えた給湯器である。
【００２０】
［７］に記載の発明は、［１］から［５］の何れかに記載の二次熱交換器（１４）を備えた給湯器であって、その一次熱交換器（１３）を、他系統の循環回路と給湯回路の双方が経由する構成になっている。このように、一次熱交換器（１３）と二次熱交換器（１４）の双方をいわゆる一缶二水路型にすることで、給湯器を小型化しつつ高い効率を確保することができる。
【００２１】
【発明の実施の形態】
以下、図面に基づき本発明の各種の実施の形態を説明する。
図１に示した本発明の第１の実施の形態にかかる給湯器１０は、水栓へ給湯したり浴槽内へ注湯したりする機能と、浴槽内の水を追い焚きする機能と、床暖房や温水ヒータによる暖房機能とを備えている。送り出し温度が約６０℃の温水を循環させる低温回路は床暖房に用い、送り出し温度が約８０℃の温水を循環させる高温回路は温水ヒータに用いるようになっている。
【００２２】
給湯器１０は、燃焼室１１を備えており、当該燃焼室１１の下部にはバーナー１２が配置されている。バーナー１２の上方には、主として顕熱を回収する一次熱交換器１３が配置され、バーナー１２からの排気の流れで一次熱交換器１３の下流には、主として排気の潜熱を回収する二次熱交換器１４が配置されている。一次熱交換器１３には、給湯受熱管２１と暖房受熱管３１の２つの受熱管が通っており、二次熱交換器１４には、第２給湯受熱管２２と、第２暖房受熱管３２が通っている。一次熱交換器１３および二次熱交換器１４は、１つの缶体に２系統の受熱管が通る、いわゆる一缶二水路型の熱交換器になっている。
【００２３】
二次熱交換器１４を通る第２給湯受熱管２２の一端には給水源に通じる給水管２３が接続され、第２給湯受熱管２２の他端は、一次熱交換器１３を通る給湯受熱管２１の一端と接続されている。給湯受熱管２１の他端には、出湯用の水栓等に通じる給湯管２４が接続されている。給水管２３と給湯管２４は、給湯受熱管２１および第２給湯受熱管２２を迂回するようにバイパス管２５で接続されて連通している。給水管２３からバイパス管２５が分岐する箇所には、バイパスサーボ４１が配置してある。バイパスサーボ４１は、給水源からの給水を第２給湯受熱管２２の側とバイパス管２５の側とに分配する際の分配比を可変調整するものである。
【００２４】
給水管２３のうちバイパスサーボ４１の上流（給水源側）には、通水量を検出するための水量センサ４２が配置されている。水量センサ４２が通水を検出することにより給湯経路での出湯があったものと判定し、バーナー１２の燃焼を開始させるようになっている。給湯受熱管２１と給湯管２４との接続箇所近傍には、加熱後の水温を検知するための缶体サーミスタ４３が、バイパス管２５と給湯管２４との接続箇所の下流には、出湯温度を検知するための出湯サーミスタ４４がそれぞれ設けてある。また給湯受熱管２１のＵベンド部には水管サーミスタ４５が設けてある。
【００２５】
図示省略した温水ヒータの放熱パネルを経由して温水が循環する高温回路から戻ってくる流体と、図示省略した床暖房用の放熱パネルを経由して温水が循環する低温回路から戻ってくる流体とは、外部で混合された後、給湯器１０の有する戻口５１から給湯器１０の内部に取り込まれるようになっている。戻口５１は、戻り水管３３を通じて、二次熱交換器１４の第２暖房受熱管３２の一端に接続されている。第２暖房受熱管３２の他端は、第１中継水管３４を通じてシスターン５３の入口に接続されている。
【００２６】
シスターン５３の出口と、暖房受熱管３１の一端との間は第２中継水管３５によって接続されている。第２中継水管３５の途中には流体を暖房回路（高温回路および低温回路）に循環させるための暖房ポンプ５４が設けてある。第２中継水管３５には、暖房ポンプ５４の下流で、低温回路に温水を送り出すための低温往き管３７が接続されている。第２中継水管３５のうち低温往き管３７との分岐箇所近傍には、管内の水温を検出するための暖房低温サーミスタ４６が取り付けてある。
【００２７】
一次熱交換器１３を通る暖房受熱管３１の他端には、高温回路の温水を送り出すための高温往き管３６が接続されている。高温往き管３６の途中には、管内の水温を検知するための暖房高温サーミスタ４７が取り付けてある。高温往き管３６は、その途中で分岐し、ふろ熱動弁５５およびふろ熱交換器５６としての水水熱交換器を介して戻り水管３３に接続されている。
【００２８】
ふろ熱交換器５６の一端には、図示省略した浴槽内の水をふろ熱交換器５６の側へ戻すためのふろ戻管６１が、ふろ熱交換器５６の他端にはふろ熱交換器５６で加熱した後の水を浴槽へ送り出すためのふろ往き管６２が接続されている。ふろ戻管６１の途中には、浴槽に近い側から順に、水位センサ６３と、ふろポンプ６４と、ふろ水流スイッチ６５と、ふろサーミスタ６６が配置されている。
【００２９】
ふろ戻管６１のうち、ふろポンプ６４とふろ水流スイッチ６５との間の所定箇所と、給湯管２４のうち出湯サーミスタ４４の下流の所定箇所とは、注湯連絡管６７で接続されている。注湯連絡管６７の途中には、注湯弁や逆止弁からなる注湯ユニット６８を設けてある。また、注湯連絡管６７と給湯管２４との接続箇所には、設定温度が高い場合等に出湯量を制限するための湯量サーボ４８を設けてある。
【００３０】
このほか、給水管２３のうち水量センサ４２の上流の所定箇所とシスターン５３の上部に設けた注水口５７とは、補給管７０によって接続されており、補給管７０の途中には、当該管路を開閉するための補給水電磁弁７１が設けてある。補給水電磁弁７１を開くことにより、給水が循環用の流体としてシスターン５３を介して暖房回路に補給されるようになっている。また第１中継水管３４の途中の所定箇所と高温往き管３６のうちふろ熱交換器５６への分岐箇所より下流の所定箇所とは、暖房高温バイパス管７２によって接続されている。
【００３１】
給排気は、燃焼ファン１５によって燃焼室１１の下方から給気を送風することによって強制的に行われ、排気は燃焼室１１の上部排気口から排出されるようになっている。バーナー１２の近くには、図示省略の点火プラグとフレームロッドが配置されている。燃焼ガスは、ガス供給管８０から供給される。ガス供給管８０の途中には、元ガス電磁弁８１が、またその下流にバーナー１２に供給するガス量を調整するためのガス比例弁８２が設けてある。
【００３２】
給湯器１０は、各種制御の中枢的役割を果たすＣＰＵ（中央処理装置）１０１と、プログラムや各種の固定的データを記憶するＲＯＭ（リード・オンリ・メモリ）１０２と、プログラムを実行する上で一時的に必要になるデータ等を記憶するためのＲＡＭ（ランダム・アクセス・メモリ）１０３とを主要部とするものであり、ＣＰＵ１０１には、入出力インターフェース回路１０４を通じて図１に示した各種の電磁弁、サーミスタ、センサのほか、図示省略のメインリモコンやふろリモコン、床暖房用リモコン等が接続されている。
【００３３】
図２は、二次熱交換器１４における受熱管の配置を示したものである。バーナー１２からの排気は、図中の矢印２０１が示すように、一次熱交換器１３を経由した後、排気通路２０２を通り、二次熱交換器１４を経由して排出されるようになっている。第２暖房受熱管３２は、当該排気の流れで二次熱交換器１４の中の最も上流側に配置されている。第２暖房受熱管３２は、二次熱交換器１４の両端で折り返して二次熱交換器１４を複数回に渡って経由しており、これら二次熱交換器１４を複数回経由する第２暖房受熱管３２は二次熱交換器１４の最も上流側の縦一列（排気の流れと垂直な方向）に並べて配置されている。
【００３４】
第２給湯受熱管２２は、二次熱交換器１４の中でバーナー１２からの排気の流れで第２暖房受熱管３２の下流に配置されている。第２給湯受熱管２２は、二次熱交換器１４の両端で折り返して二次熱交換器１４を複数回に渡って経由している。より詳細には、受熱管を縦に複数段重ねたものが排気の流れで上流から下流に向けて複数列配置されている。二次熱交換器１４は排気の流れで上流から下流にかけて斜め下向きに傾斜しており、二次熱交換器１４の下方に沿って、凝縮水を受け止めるための受水板２０３が配置され、受水板２０３の下端には、受水板２０３を伝ってくる凝縮水を受け止めるための受皿２０４があり、当該受皿２０４には、図示省略の排水管が接続されている。
【００３５】
次に作用を説明する。
給湯と暖房の同時使用の場合、バーナー１２からの高温の燃焼ガス（排気）は、一次熱交換器１３を経由する際にその顕熱が主として回収される。一次熱交換器１３で顕熱を回収された燃焼ガスは排気通路２０２を通り、二次熱交換器１４で残りの顕熱と潜熱が回収される。ここで、暖房回路（高温回路および低温回路）は、送り出し温度が６０℃や８０℃程度あるので、放熱パネル等の負荷で放熱されたとしても、回路からの戻り温度は給水温度の約１５℃に比べるとかなり高くなっている。
【００３６】
二次熱交換器１４では、第２給湯受熱管２２よりも排気の流れで上流側に第２暖房受熱管３２を配置してあるので、第２暖房受熱管３２を通る水温（暖房回路からの戻り温度）が高くても、排気との温度差が最もある状態で熱交換される結果、第２給湯受熱管２２の下流に第２暖房受熱管３２を配置する場合に比べて、高い効率で第２暖房受熱管３２が熱を回収することができる。一方、第２暖房受熱管３２の下流に配置された第２給湯受熱管２２では、入水する給水の温度が低いので、排気との温度差をなお確保することができ、排気から熱回収することができる。また第２給湯受熱管２２を上流から下流に向けて複数列並べて配置してあるので、排気の熱を充分に回収することができる。
【００３７】
二次熱交換器１４を経由する間に潜熱を回収されることによって生じた凝縮水は、受水板２０３で受け止められて下方に流れ、受皿２０４を経て、排水管を通じて器具外へと排水される。
【００３８】
図３は、本発明の第２の実施の形態にかかる給湯器１０ｂを示している。同図に示した給湯器１０ｂでは、第２暖房受熱管３２と第２給湯受熱管２２に共通のフィン２１０を取り付けてある。
【００３９】
給湯器１０ｂでは、フィン２１０を取り付けたことにより吸熱面積が増加し、熱の回収効率が向上している。これにより、第１の実施の形態の場合に比べて二次熱交換器１４を経由する受熱管の本数が少なくなっている。すなわち、図２に示すものでは、第２給湯受熱管２２および第２暖房受熱管３２をそれぞれ縦に５段重ねてあるとともに、第２給湯受熱管２２は排気の流れ方向に５列配置してある。これに対し図３に示すものでは、第２給湯受熱管２２および第２暖房受熱管３２をそれぞれ縦に３段重ねてあるとともに、第２給湯受熱管２２は排気の流れ方向に４列配置してある。このようにフィン２１０を設けることによって吸熱面積が増加したことにより、受熱管の本数を減らすことができ、二次熱交換器１４を小型化することができる。
【００４０】
また給湯単独運転や暖房単独運転を行う場合には、使用していない回路の受熱管の吸熱した熱量が、使用している回路の受熱管に、フィン２１０を通じて伝熱され、熱の利用効率を高めることができる。たとえば、給湯単独運転の場合には、上流に配置された第２暖房受熱管３２の吸熱した熱量がフィン２１０を介して第２給湯受熱管２２に伝熱される。逆に暖房単独運転の場合には、下流に配置された第２給湯受熱管２２の吸熱した熱量がフィン２１０を介して第２暖房受熱管３２に伝熱する。
【００４１】
図４は、本発明の第３の実施の形態にかかる給湯器１０ｃを示している。同図に示した給湯器１０ｃでは、第２暖房受熱管３２とその直ぐ下流に配置された第２給湯受熱管２２とが直接、接触している。これにより、給湯単独運転や暖房単独運転を行う場合には、使用していない回路の受熱管の吸熱した熱量が、使用している回路の受熱管に、管壁を通じて伝熱され、熱の利用効率を高めることができる。
【００４２】
図５は、本発明の第４の実施の形態にかかる給湯器１０ｄを示している。同図に示した給湯器１０ｄでは、第２暖房受熱管３２と第２給湯受熱管２２とに共通のフィン２１０を取り付けてあるとともに、第２暖房受熱管３２とその直ぐ下流に配置されている第２給湯受熱管２２とを直接、接触させてある。これにより、給湯単独運転や暖房単独運転を行う場合には、使用していない回路の受熱管の吸熱した熱量が、使用している回路の受熱管にフィン２１０と管壁とを通じて伝熱され、熱の利用効率をさらに高めることができる。
【００４３】
以上、本発明の実施の形態を図面によって説明してきたが、具体的な構成はこれに限られるものではなく、本発明の要旨を逸脱しない範囲における変更や追加があってもかまわない。
【００４４】
たとえば、一次熱交換器は必ずしも一缶二水路型でなくても良く、図６に示すように給湯回路を加熱するための給湯一次熱交換器１３ａと、暖房回路を加熱するための暖房一次熱交換器１３ｂとを別体に設けた二缶二水路型熱交換器を用いる構成としても良い。また循環回路として、ふろの追焚回路と暖房回路の双方を備えたものを示したが、いずれか一方だけを有する構成としてもよい。このほか、実施の形態では、二次熱交換器の最も上流側の縦一列にだけ循環回路の受熱管を配置したが、上流側の複数列に渡って配置してもよい。
【００４５】
なお、バーナーへ供給する燃料はガス以外に石油等であってもかまわない。また、石油等ではガンタイプバーナのようなバーナーレスタイプなどでもよい。
【００４６】
【発明の効果】
本発明にかかる二次熱交換器およびこれを用いた給湯器によれば、バーナーからの排気の流れで給湯回路の受熱管の上流側に、ふろの追焚回路や暖房回路のような他系統の循環回路の受熱管を配置したので、循環回路側が最も温度差のある状態で熱交換されることとなり、他の位置に循環回路の受熱管を配置した場合に比べて、高い効率を得ることができ、省エネルギー化や環境負荷の低減に寄与することができる。さらに暖房能力や追焚能力など循環回路側の能力が向上する。
【００４７】
また少なくとも循環回路の受熱管にフィンを取り付けたものでは、吸熱面積が広がり、より一層効率良く熱回収することができる。
【００４８】
さらに給湯回路の受熱管と循環回路の受熱管の双方に共通のフィンを取り付けたものでは、吸熱面積がさらに広がることによって受熱管の本数を減らすことができ、二次熱交換器の小型化および軽量化を図ることができる。また使用していない回路の受熱管の吸熱した熱量が使用している回路の受熱管へフィンを介して伝熱されるので、一方の回路の単独使用中にも効率よく熱回収を行うことができる。
【００４９】
給湯回路の受熱管と循環回路の受熱管とを接触させて配置したものでは、使用していない回路の受熱管の吸熱した熱量が使用している回路の受熱管へ管壁を通じて伝熱されるので、一方の回路の単独使用中にも効率よく熱回収を行うことができる。
【図面の簡単な説明】
【図１】本発明の各実施の形態に係る給湯器を示す説明図である。
【図２】本発明の第１の実施の形態に係る給湯器の二次熱交換器における受熱管の配列を示す説明図である。
【図３】本発明の第２の実施の形態に係る給湯器の二次熱交換器における受熱管の配列を示す説明図である。
【図４】本発明の第３の実施の形態に係る給湯器の二次熱交換器における受熱管の配列を示す説明図である。
【図５】本発明の第４の実施の形態に係る給湯器の二次熱交換器における受熱管の配列を示す説明図である。
【図６】本発明の実施の形態に係る給湯器であって一次熱交換器を二缶二水路型熱交換器としたものを示す説明図である。
【符号の説明】
１０…給湯器
１１…燃焼室
１２…バーナー
１３…一次熱交換器
１３ａ…給湯一次熱交換器
１３ｂ…暖房一次熱交換器
１４…二次熱交換器
１５…燃焼ファン
２１…給湯受熱管
２２…第２給湯受熱管
２３…給水管
２４…給湯管
２５…バイパス管
３１…暖房受熱管
３２…第２暖房受熱管
３３…戻り水管
３４…第１中継水管
３５…第２中継水管
３６…高温往き管
３７…低温往き管
３８…高温戻り水管
４１…バイパスサーボ
４２…水量センサ
４３…缶体サーミスタ
４４…出湯サーミスタ
４５…水管サーミスタ
４６…暖房低温サーミスタ
４７…暖房高温サーミスタ
４８…湯量サーボ
５１…戻口
５３…シスターン
５４…暖房ポンプ
５５…ふろ熱動弁
５６…ふろ熱交換器
５７…注水口
６１…ふろ戻管
６２…ふろ往き管
６３…水位センサ
６４…ふろポンプ
６５…ふろ水流スイッチ
６６…ふろサーミスタ
６７…注湯連絡管
６８…注湯ユニット
７０…補給管
７１…補給水電磁弁
７２…暖房高温バイパス管
８０…ガス供給管
８１…元ガス電磁弁
８２…ガス比例弁
１００…制御回路
２０１…排気の流れを示す矢印
２０２…排気通路
２０３…受水板
２０４…受皿
２１０…フィン
【図１】
2004028447.tif 000003
【図２】
2004028447.tif 000004
【図３】
2004028447.tif 000005
【図４】
2004028447.tif 000006
【図５】
2004028447.tif 000007
【図６】
2004028447.tif 000008